(57)【要約】      （修正有）【課題】人体に過度に侵入するのを制限する保護構造を備えた生理用洗浄器を提供する。【解決手段】保護構造を備えた生理用洗浄器は、外側には環状ストッパー１１外に向けて延設するチューブ本体１０を備え、環状ストッパー１１はチューブ本体１０をチューブ挿入部１２及びチューブ接合部１３に区分する。また、本体１０には軸方向に沿って流路１４を設けると共にチューブ挿入部１２及びチューブ接合部１３に連通する。なお、チューブ挿入部１２の周側には流路１４に向けて相互に連通する複数の側孔１２１を設けている。チューブ本体１０内に導入する水を相互に連通する複数の側孔１２１から外に向けて排水する。女性のユーザーが使用部位に侵入させて洗浄操作を行う場合、環状ストッパー１１が使用部位に対し当接することで人体に過度に侵入しないように制限し、保護効果を発揮し、人体が傷害を受ける危険を回避し、好ましい安全性を有する。【選択図】図１
0003231106.tif 000002
【実用新案登録請求の範囲】
【請求項１】
外周側には環状ストッパーを外に向けて延設するチューブ本体を備え、前記ストッパーは前記チューブ本体をチューブ挿入部及びチューブ接合部に区分し、また、前記本体には本体の軸方向に沿って流路を設けていると共に前記チューブ挿入部及び前記チューブ接合部に連通し、且つ前記チューブ挿入部の周側には前記流路に向けて相互に連通する複数の側孔を設けていることを特徴とする保護構造を備えた生理用洗浄器。
【請求項２】
チューブ接合部に覆設する導水部材をさらに備え、前記導水部材は前記接水部に覆設し、流路に進入し側孔から排水して洗浄を行うために導水することを特徴とする請求項１に記載の保護構造を備えた生理用洗浄器。
【請求項３】
前記チューブ挿入部の外径は前記チューブ接合部の外径より大きく、前記環状ストッパーの外径はチューブ挿入部の外径より大きく、且つ前記環状ストッパーはチューブ挿入部に垂直になって使用上の制限を形成し、使用部位に過度に侵入しないようにすることを特徴とする請求項１に記載の保護構造を備えた生理用洗浄器。
【請求項４】
前記チューブ接合部には外側ストッパー及び少なくとも１つの外側凸リングを凸設し、且つ前記環状ストッパー乃至外側ストッパーのチューブ接合部は使用時に環状ストッパーと間隔を空けて把持するために用い、把持操作中に環状ストッパーに接触して汚染してしまい、感染を引き起こさないようにすることを特徴とする請求項２に記載の保護構造を備えた生理用洗浄器。
【請求項５】
前記導水部材はボトルまたはホースであることを特徴とする請求項２に記載の保護構造を備えた生理用洗浄器。
【請求項６】
前記複数の側孔はチューブ挿入部の両側にそれぞれ等間隔で１０孔配列し、且つ前記複数の側孔の配列長さは100mmとすることを特徴とする請求項１に記載の保護構造を備えた生理用洗浄器。
【請求項７】
前記チューブ挿入部の一端は前記環状ストッパーに接続すると共に他端に位置する円弧部を有することを特徴とする請求項１に記載の保護構造を備えた生理用洗浄器。
【請求項８】
前記チューブ挿入部の長さは120mmとし、前記円弧部の長さは40mmとすることを特徴とする請求項７に記載の保護構造を備えた生理用洗浄器。
【請求項９】
前記外側ストッパー乃至チューブ接合部の外端の長さ及び前記環状ストッパー乃至外側ストッパーの長さは共に25mmとし、前記外側凸リング外径は前記チューブ接合部外径より大きくすることにより、導水部材に緊結し、前記外側ストッパー外径は前記外側凸リング外径より大きく、且つ前記少なくとも１つの外側凸リングと前記環状ストッパーとの間に位置し、前記導水部材に覆設して係止し位置決めするために用いていることを特徴とする請求項５に記載の保護構造を備えた生理用洗浄器。
【請求項１０】
前記チューブ本体は一体成形する湾曲変形可能な人体に無害な材質構造であり、ポリプロピレン、スチレン熱可塑性弾性体、或いはポリプロピレン、エチレンプロピレンジエンゴムのうちの１つであることを特徴とする請求項１に記載の保護構造を備えた生理用洗浄器。
【考案の詳細な説明】
【技術分野】
【０００１】
本考案は、人体を衛生的に洗浄する構造の技術分野に関し、より詳しくは、女性ユーザーの体内に挿入して洗浄する際に、過度な侵入を防ぐ保護機能を有する洗浄器構造に関する。
【背景技術】
【０００２】
女性生殖器は体内に隠されており、体液及び分泌物の影響を受けて細菌が繁殖しやすく、異臭、痒み、おりもの等の問題を生じさせ、ひいては膣の炎症や感染等の問題を引き起こした。
【０００３】
現在、よくある女性用ヘルスケア製品は洗浄液が主であり、洗浄液を圧縮可能なソフトボトル体内に充填し、ボトル体の蓋には中空棒体を設け、棒体周縁には複数の貫通孔を形成している。使用時には中空棒体を膣内に挿入し、ボトル体を押して洗浄液を押し出し、洗浄液を中空棒体の貫通孔から噴出させ、膣の分泌物を洗浄する。避妊用途には使用できない。
【０００４】
しかしながら、前述した従来の技術では、ボトル体の内部容量には限りがあった。一般的には１回押して噴出させて使用した後には、蓋を外して洗浄液を再度充填しなければ再度洗浄に使用できず、使用上多くの不便が存在し、洗浄効果も好ましいものではなかった。
【０００５】
関連業者ではこの欠点に対して問題を解決する構造を提出している。下記特許文献１の「女性生理用洗浄器」という記載がある。しかしながら、前記特許は明細書第３頁第３段に記載のように、特に現在市場で販売されている「VIGILL SOLUTION」のような噴射剤は、一般的な洗浄薬剤を膣内に噴出し、膣内部に挿入して洗浄を行うのは難しいという欠点を改善している。これにより改善した構造は主に覆設部材、内管、及び連結構造で構成し、覆設部材及び内管の開口端に装設する連結構造によりホースを接続し、ホースにより導水する水源は覆設部材の外周部に持続的排水を形成し、ユーザーを洗浄するために用いている。
【先行技術文献】
【特許文献】
【０００６】
【特許文献１】台湾登録実用新案第520659号公報
【考案の概要】
【考案が解決しようとする課題】
【０００７】
しかしながら、上述の従来の特許構造は人体に異物を侵入させるため、深く挿入して洗浄することのみを考慮しているのであれば、付属的な保護構造がなければ、人体に過度に侵入して容易に危害を加えてしまうため、注意が必要であった。
【０００８】
そこで、本考案者は上記の欠点が改善可能と考え、鋭意検討を重ねた結果、合理的設計で上記の課題を効果的に改善する本考案の提案に到った。
【０００９】
本考案はこうした状況に鑑みてなされたものであり、その目的は、保護構造を備えた生理用洗浄器を提供することにある。つまり、チューブ本体の外周側には環状ストッパーを外に向けて延設し、女性ユーザーが使用部位に侵入させて洗浄操作を行う際に、使用部位に対し当接し、人体に過度に侵入するのを制限する保護効果を形成し、人体に過度に侵入させたために傷害を負う危険性を回避し、好ましい安全性を有する。
【課題を解決するための手段】
【００１０】
上記課題を解決するために、本考案のある態様の保護構造を備えた生理用洗浄器は、外周側に環状ストッパーを外に向けて延設するチューブ本体を備え、前記ストッパーにより前記チューブ本体をチューブ挿入部及びチューブ接合部に区分している。また、前記本体にはその軸方向に沿って流路を設けていると共に前記チューブ挿入部及び前記チューブ接合部に連通し、且つ前記チューブ挿入部の周側には前記流路に向けて相互に連通する複数の側孔を設けている。
【００１１】
また、本考案に係る保護構造を備えた生理用洗浄器において、チューブ接合部に覆設する導水部材２０をさらに備えている。前記導水部材２０は前記接水部に覆設し、流路に進入して側孔から排水して洗浄を行うために導水することを特徴とする。
【００１２】
また、本考案に係る保護構造を備えた生理用洗浄器において、前記チューブ挿入部外径は前記チューブ接合部外径より大きく、前記環状ストッパー外径はチューブ挿入部外径より大きく、且つ前記環状ストッパーはチューブ挿入部に垂直になって使用上の制限を形成し、使用部位に過度に侵入しないようにすることを特徴とする。
【００１３】
また、本考案に係る保護構造を備えた生理用洗浄器において、前記チューブ接合部には外側ストッパー及び少なくとも１つの外側凸リングを凸設し、且つ前記環状ストッパー乃至外側ストッパーのチューブ接合部は使用時に環状ストッパーと間隔を空けて把持するために用い、把持操作中に環状ストッパーに接触して汚染してしまい、感染を引き起こさないようにすることを特徴とする。
【００１４】
また、本考案に係る保護構造を備えた生理用洗浄器において、前記導水部材はボトルまたはホースであることを特徴とする。
【００１５】
また、本考案に係る保護構造を備えた生理用洗浄器において、前記複数の側孔はチューブ挿入部の両側にそれぞれ等間隔で１０孔配列し、且つ前記複数の側孔の配列長さは100mmとすることを特徴とする。
【００１６】
また、本考案に係る保護構造を備えた生理用洗浄器において、前記チューブ挿入部の一端は前記環状ストッパーに接続すると共に他端に位置する円弧部を有することを特徴とする。
【００１７】
また、本考案に係る保護構造を備えた生理用洗浄器において、前記チューブ挿入部の長さは120mmとし、前記円弧部の長さは40mmとすることを特徴とする。
【００１８】
また、本考案に係る保護構造を備えた生理用洗浄器において、前記外側ストッパー乃至チューブ接合部の外端の長さ及び前記環状ストッパー乃至外側ストッパーの長さは共に25mmとする。前記外側凸リング外径は前記チューブ接合部外径より大きくすることにより、導水部材に緊結する。前記外側ストッパー外径は前記外側凸リング外径より大きく、且つ前記少なくとも１つの外側凸リングと前記環状ストッパーとの間に位置し、前記導水部材に覆設して係止し位置決めするために用いていることを特徴とする。
【００１９】
また、本考案に係る保護構造を備えた生理用洗浄器において、前記チューブ本体は一体成形する湾曲変形可能な人体に無害な材質構造であり、ポリプロピレン、スチレン熱可塑性弾性体、或いはポリプロピレン、エチレンプロピレンジエンゴムのうちの１つであることを特徴とする。
【００２０】
本考案の他の特徴については、本明細書及び添付図面の記載により明らかにする。
【図面の簡単な説明】
【００２１】
【図１】本考案に係る保護構造を備えた生理用洗浄器を模式的に示した組み合わせ図である。
【図２】本考案に係る保護構造を備えた生理用洗浄器を模式的に示した分解図である。
【図３】図１のIII-III線に沿う断面概略図である。
【図４】図１のIV-IV線に沿う断面概略図である。
【図５】本考案を使用した状態を示す概略図である。
【図６】本考案の他の実施形態に係る保護構造を備えた生理用洗浄器を模式的に示した傾斜概略図である。
【図７】図６のVII-VII線に沿う断面概略図である。
【考案を実施するための形態】
【００２２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００２３】
以下に図１乃至図５を参照しながら本考案を実施するための最良の形態について詳述する。
【００２４】
本考案に係る保護構造を備えた生理用洗浄器は、外周側には環状ストッパー１１を外に向けて延設するチューブ本体１０を備え、前記ストッパー１１により前記チューブ本体１０をチューブ挿入部１２及びチューブ接合部１３に区分している。また、前記本体にはその軸方向に沿って流路１４を設けていると共に前記チューブ挿入部１２及び前記チューブ接合部１３に連通し、且つ前記チューブ挿入部１２の周側には前記流路１４に向けて相互に連通する複数の側孔１２１を設けている。
【００２５】
前述は本考案の主な実施例の主要な技術的特徴であり、本考案の実用新案登録請求の範囲の請求項１の内容に対応し、本考案の目的及び実施形態について詳細に知ることができる。残りの付属する実用新案登録請求の範囲に記載の技術的特徴は、実用新案登録請求の範囲の請求項１の内容について詳述したもの、或いは付加する技術的特徴であり、実用新案登録請求の範囲の請求項１に定義する範囲を制限するものではなく、本考案の実用新案登録請求の範囲の請求項１に必ずしも含む必要のない残りの付属する実用新案登録請求の範囲に記載する技術的特徴について知るためのものである。
【００２６】
また、図４、図５に示されるように、本考案のチューブ本体１０が前記チューブ接合部１３から水源を導水して前記流路１４に進入させ、前記チューブ挿入部１２の周側から前記流路１４に設けている相互に連通する複数の側孔１２１に向けて外に向けて排水し、洗浄するために使用する。また、本考案は、女性ユーザーがチューブ挿入部１２を使用部位（膣または肛門）に挿入させて洗浄操作を行う場合、チューブ本体１０の外周側から外に向けて延設している前記環状ストッパー１１を使用部位に当接し、人体に過度に侵入しないように操作を制限し、人体が傷害を負わないようにする保護効果及び安全性を有する（図５参照）。
【００２７】
以下、本考案の各部材の特徴についてさらに詳述する。上述の図1乃至図５において、チューブ接合部１３に覆設する導水部材２０をさらに備え、前記導水部材２０は前記接水部１１に覆設し、流路１４に進入して側孔１２１から排水して洗浄を行うために導水する。図４に示されるように、前記導水部材２０はボトル（図示省略）またはホースであり（図示参照）、特にホース構造の導水部材２０により水源（例えば、蛇口）から持続的に導水して排水し、且つ流路１４を通して側孔１２１から排水し、重複して持続的に洗浄する。また、導水部材２０がボトルである場合、薬液を充填した旧式容器を使用して洗浄を行う。
【００２８】
次は、図３に示されるように、前記チューブ挿入部１２外径Ｄ４は前記チューブ接合部１３外径Ｄ１より大きく、前記環状ストッパー１１外径Ｄ５はチューブ挿入部１２外径Ｄ４より大きく、且つ前記環状ストッパー１１はチューブ挿入部１２に垂直になって使用上の制限を形成し、使用部位に過度に侵入しないようにする。また、前記チューブ接合部１３には外周側ストッパー１３１及び少なくとも１つの外周側凸リング１３２を凸設し、且つ前記環状ストッパー１１乃至外周側ストッパー１３１のチューブ接合部１３は使用時に環状ストッパーと間隔を空けて把持するために用い、把持操作中に環状ストッパー１１と接触して汚染してしまい、感染を引き起こさないようにする。
【００２９】
また、前記複数の側孔１２１はチューブ挿入部１２ の両側にそれぞれ等間隔で１０孔配列し、且つ前記複数の側孔１２１の配列長さＬ２は100mmとする。なお、前記外周側ストッパー１３１乃至チューブ接合部１３の外端の長さＬ３及び前記環状ストッパー１１乃至外周側ストッパー１３１の長さＬ４は共に25mmとする。前記外周側凸リング１３２外径Ｄ２は前記チューブ接合部１３外径Ｄ１より大きくすることにより、導水部材２０に緊結している。前記外周側ストッパー１３１外径Ｄ３は前記外周側凸リング１３２外径Ｄ２より大きく、且つ前記少なくとも１つの外周側凸リング１３２と前記環状ストッパー１１との間に位置し、前記導水部材２０に覆設して係止し位置決めするために用いている。また、前記チューブ本体１０は一体成形する湾曲変形可能な人体に無害な材質構造であり、ポリプロピレン、スチレン熱可塑性弾性体、或いはポリプロピレン、エチレンプロピレンジエンゴムのうちの１つである。
【００３０】
最後に、図６、図７に示されるように、前記チューブ挿入部１２の一端は前記環状ストッパー１１に接続すると共に他端に位置する円弧部１２２を有し、前記チューブ挿入部１２の長さＬ１は120mmとし、前記円弧部１２２の長さＬ５は40mmとし、使用における異なる選択肢を提供する。
【００３１】
上述のように、本考案はチューブ本体１０の外周側に外に向けて延設する前記環状ストッパー１１を使用部位に当接し、従来の特許構造では人体に過度に侵入して危害を加えやすいという欠点を確実に克服し、以下の利点を達成する。
１、女性ユーザーが使用部位に挿入して洗浄操作を行う場合、人体に過度に侵入しないように制限する保護効果を形成する。
２、人体に傷害を与えないようにする安全性を有する。
【００３２】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００３３】
１０  チューブ本体
１１  環状ストッパー
１２  チューブ挿入部
１２１  側孔
１２２  円弧部
１３  チューブ接合部
１３１  外側ストッパー
１３２  外側凸リング
１４  流路
２０  導水部材
Ｄ１  チューブ接合部外径
Ｄ２  外側凸リング外径
Ｄ３  外側ストッパー外径
Ｄ４  チューブ挿入部外径
Ｄ５  環状ストッパー外径
Ｌ１  チューブ挿入部の長さ
Ｌ２  複数の側孔の配列長さ
Ｌ３  環状ストッパー乃至チューブ接合部の長さ
Ｌ４  環状ストッパー乃至外側ストッパーの長さ
Ｌ５  円弧部長さ
【図１】
0003231106.tif 000003
【図２】
0003231106.tif 000004
【図３】
0003231106.tif 000005
【図４】
0003231106.tif 000006
【図５】
0003231106.tif 000007
【図６】
0003231106.tif 000008
【図７】
0003231106.tif 000009
【手続補正書】
【提出日】令和2年12月28日(2020.12.28)
【手続補正１】
【補正対象書類名】実用新案登録請求の範囲
【補正対象項目名】全文
【補正方法】変更
【補正の内容】
【実用新案登録請求の範囲】
【請求項１】
外周側には環状ストッパーを外に向けて延設するチューブ本体を備え、前記ストッパーは前記チューブ本体をチューブ挿入部及びチューブ接合部に区分し、また、前記本体には本体の軸方向に沿って流路を設けていると共に前記チューブ挿入部及び前記チューブ接合部に連通し、且つ前記チューブ挿入部の周側には前記流路に向けて相互に連通する複数の側孔を設けていることを特徴とする保護構造を備えた生理用洗浄器。
【請求項２】
チューブ接合部に覆設する導水部材をさらに備え、前記導水部材は前記環状ストッパーに覆設し、流路に進入し側孔から排水して洗浄を行うために導水することを特徴とする請求項１に記載の保護構造を備えた生理用洗浄器。
【請求項３】
前記チューブ挿入部の外径は前記チューブ接合部の外径より大きく、前記環状ストッパーの外径はチューブ挿入部の外径より大きく、且つ前記環状ストッパーはチューブ挿入部に垂直になって使用上の制限を形成し、使用部位に過度に侵入しないようにすることを特徴とする請求項１に記載の保護構造を備えた生理用洗浄器。
【請求項４】
前記チューブ接合部には外側ストッパー及び少なくとも１つの外側凸リングを凸設し、且つ前記環状ストッパー乃至外側ストッパーのチューブ接合部は使用時に環状ストッパーと間隔を空けて把持するために用い、把持操作中に環状ストッパーに接触して汚染してしまい、感染を引き起こさないようにすることを特徴とする請求項２に記載の保護構造を備えた生理用洗浄器。
【請求項５】
前記導水部材はボトルまたはホースであることを特徴とする請求項２に記載の保護構造を備えた生理用洗浄器。
【請求項６】
前記複数の側孔はチューブ挿入部の両側にそれぞれ等間隔で１０孔配列し、且つ前記複数の側孔の配列長さは100mmとすることを特徴とする請求項１に記載の保護構造を備えた生理用洗浄器。
【請求項７】
前記チューブ挿入部の一端は前記環状ストッパーに接続すると共に他端に位置する円弧部を有することを特徴とする請求項１に記載の保護構造を備えた生理用洗浄器。
【請求項８】
前記チューブ挿入部の長さは120mmとし、前記円弧部の長さは40mmとすることを特徴とする請求項７に記載の保護構造を備えた生理用洗浄器。
【請求項９】
前記外側ストッパー乃至チューブ接合部の外端の長さ及び前記環状ストッパー乃至外側ストッパーの長さは共に25mmとし、前記外側凸リング外径は前記チューブ接合部外径より大きくすることにより、導水部材に緊結し、前記外側ストッパー外径は前記外側凸リング外径より大きく、且つ前記少なくとも１つの外側凸リングと前記環状ストッパーとの間に位置し、前記導水部材に覆設して係止し位置決めするために用いていることを特徴とする請求項５に記載の保護構造を備えた生理用洗浄器。
【請求項１０】
前記チューブ本体は一体成形する湾曲変形可能な人体に無害な材質構造であり、ポリプロピレン、スチレン熱可塑性弾性体、或いはポリプロピレン、エチレンプロピレンジエンゴムのうちの１つであることを特徴とする請求項１に記載の保護構造を備えた生理用洗浄器。